(57)【特許請求の範囲】
【請求項１】
被測定者から測定されて第一の記憶部に記憶された生体情報を評価する生体情報評価装置であって、
複数に分割された１日の分割期間毎の生体情報の基準値を示す基準データに基づいて、前記第一の記憶部に記憶された生体情報を評価する生体情報評価部と、
前記生体情報評価部が当該生体情報の評価に用いる前記基準データを制御する基準データ制御部と、を備え、
前記基準データ制御部は、暦情報と人の属性情報の組み合わせ毎に前記基準データを記憶する第二の記憶部から、前記第一の記憶部に記憶された生体情報の測定時の暦情報と前記被測定者の属性情報との組み合わせに対応する基準データを取得し、取得した基準データを、前記生体情報評価部が当該生体情報の評価に利用する基準データとして設定する生体情報評価装置。
【請求項２】
請求項１記載の生体情報評価装置であって、
前記第二の記憶部に記憶される基準データは、複数人分の生体情報に基づいて生成されたものであり、
前記複数人分の生体情報は、当該生体情報が測定された人の属性情報及び当該生体情報の測定時の暦情報が全て同じものである生体情報評価装置。
【請求項３】
被測定者から測定されて第一の記憶部に記憶された生体情報を評価する生体情報評価装置であって、
複数に分割された１日の分割期間毎の生体情報の基準値を示す基準データに基づいて、前記第一の記憶部に記憶された生体情報を評価する生体情報評価部と、
前記生体情報評価部が当該生体情報の評価に用いる前記基準データを制御する基準データ制御部と、を備え、
前記基準データ制御部は、暦情報と人の属性情報と気温情報の組み合わせ毎に前記基準データを記憶する第二の記憶部から、前記第一の記憶部に記憶された生体情報の測定時の暦情報及び気温情報と前記被測定者の属性情報との組み合わせに対応する基準データを取得し、取得した基準データを、前記生体情報評価部が当該生体情報の評価に利用する基準データとして設定する生体情報評価装置。
【請求項４】
請求項３記載の生体情報評価装置であって、
前記第二の記憶部に記憶される基準データは、複数人分の生体情報に基づいて生成されたものであり、
前記複数人分の生体情報は、当該生体情報が測定された人の属性情報、当該生体情報の測定時の暦情報、及び、当該生体情報の測定時の気温情報が全て同じものである生体情報評価装置。
【請求項５】
被測定者から測定されて第一の記憶部に記憶された生体情報を評価する生体情報評価装置であって、
複数に分割された１日の分割期間毎の生体情報の基準値を示す基準データに基づいて、前記第一の記憶部に記憶された生体情報を評価する生体情報評価部と、
前記生体情報評価部が当該生体情報の評価に用いる前記基準データを制御する基準データ制御部と、を備え、
前記基準データ制御部は、前記被測定者から生体情報を測定する生体情報測定部により測定されて前記第一の記憶部に記憶された７日分の生体情報に基づいて曜日毎に前記基準データを生成し、前記第一の記憶部に記憶された生体情報の測定時の曜日情報に対応する前記基準データを、当該生体情報の測定時の月情報に基づいて補正し、補正後の基準データを前記生体情報評価部が当該生体情報の評価に利用する基準データとして設定する生体情報評価装置。
【請求項６】
被測定者から測定されて第一の記憶部に記憶された生体情報を評価する生体情報評価装置であって、
複数に分割された１日の分割期間毎の生体情報の基準値を示す基準データに基づいて、前記第一の記憶部に記憶された生体情報を評価する生体情報評価部と、
前記生体情報評価部が当該生体情報の評価に用いる前記基準データを制御する基準データ制御部と、を備え、
前記基準データ制御部は、前記被測定者から生体情報を測定する生体情報測定部により測定されて前記第一の記憶部に記憶された７日分の生体情報に基づいて曜日毎に前記基準データを生成し、前記第一の記憶部に記憶された生体情報の測定時の曜日情報に対応する前記基準データを、当該生体情報の測定時の気温情報に基づいて補正し、補正後の基準データを前記生体情報評価部が当該生体情報の評価に利用する基準データとして設定する生体情報評価装置。
【請求項７】
被測定者から測定されて第一の記憶部に記憶された生体情報を評価する生体情報評価装置の作動方法であって、
前記生体情報評価装置が、複数に分割された１日の分割期間毎の生体情報の基準値を示す基準データに基づいて、前記第一の記憶部に記憶された生体情報を評価する生体情報評価ステップと、
前記生体情報評価装置が、前記生体情報評価ステップにおいて当該生体情報の評価に用いる前記基準データを制御する基準データ制御ステップと、を備え、
前記基準データ制御ステップでは、暦情報と人の属性情報の組み合わせ毎に前記基準データを記憶する第二の記憶部から、前記第一の記憶部に記憶された生体情報の測定時の暦情報と前記被測定者の属性情報との組み合わせに対応する基準データを取得し、取得した基準データを、前記生体情報評価ステップで当該生体情報の評価に利用する基準データとして設定する生体情報評価装置の作動方法。
【請求項８】
被測定者から測定されて第一の記憶部に記憶された生体情報を評価する生体情報評価プログラムであって、
複数に分割された１日の分割期間毎の生体情報の基準値を示す基準データに基づいて、前記第一の記憶部に記憶された生体情報を評価する生体情報評価ステップと、
前記生体情報評価ステップにおいて当該生体情報の評価に用いる前記基準データを制御する基準データ制御ステップと、を備え、
前記基準データ制御ステップでは、暦情報と人の属性情報の組み合わせ毎に前記基準データを記憶する第二の記憶部から、前記第一の記憶部に記憶された生体情報の測定時の暦情報と前記被測定者の属性情報との組み合わせに対応する基準データを取得し、取得した基準データを、前記生体情報評価ステップで当該生体情報の評価に利用する基準データとして設定する手順をコンピュータに実行させるための生体情報評価プログラム。
【発明の詳細な説明】
【技術分野】
【０００１】
本発明は、生体情報評価装置、生体情報測定装置、生体情報評価方法、生体情報評価プログラムに関する。
【背景技術】
【０００２】
血圧情報、脈拍情報、又は、心拍情報等の生体情報を評価する方法としては、予め設定された閾値と、測定された生体情報とを比較し、生体情報が閾値を超える場合に、異常であると判断する方法等が一般的である。
【０００３】
ここで、血圧情報、脈拍情報、又は、心拍情報等の生体情報は、日内変動が大きい。このため、血圧情報を例にすると、日本高血圧学会等で規定されている基準血圧値を閾値として設定しても、血圧情報の測定時の状況によっては適切な閾値として機能しない可能性がある。この結果、血圧情報の異常判定に誤りが生じる可能性がある。
【０００４】
特許文献１には、血圧情報の日内変動を考慮し、血圧異常を判定するための閾値を１日のうちの時刻単位で細かく設定できるシステムが記載されている。このシステムでは、時刻単位での閾値を手動で設定できるようになっている。
【０００５】
特許文献２には、被測定者から測定された過去の血圧情報の平均値を閾値として設定し、この閾値と、測定された血圧情報との比較によって血圧情報の異常判定を行うシステムが記載されている。
【０００６】
特許文献３には、手術室等で利用され、１拍毎に生体情報を測定する生体情報測定装置において、被測定者から測定された過去の測定データの移動平均に基づいて閾値を設定し、生体情報の異常判定を行うことが記載されている。
【０００７】
特許文献４には、被測定者の過去の健康診断の結果に基づいて、その被測定者の生体情報の基準レベルを設定するシステムが記載されている。
【先行技術文献】
【特許文献】
【０００８】
【特許文献１】特開２００７−１１７４３４号公報
【特許文献２】特開２００７−２４５４３号公報
【特許文献３】特開平８−２５６９９９号公報
【特許文献４】特開２０１３−２４８３２９号公報
【発明の概要】
【発明が解決しようとする課題】
【０００９】
特許文献２及び特許文献４に記載のシステムは、生体情報の日内変動について考慮されていないため、生体情報の異常判定を高精度に行うことができない。
【００１０】
特許文献３に記載の生体情報測定装置は、移動平均によって閾値を設定するため、手術中等の短い期間では有効ではあるが、１日又は１週間等の長い期間で生体情報を測定するような場合には適用が難しい。
【００１１】
特許文献１に記載のシステムは、１日において時刻単位で細かく閾値を設定できるため、異常判定の精度向上が期待できる。しかし、閾値の設定は手動で行われるため、設定ミス等によって異常判定の精度が低下する可能性がある。また、閾値の設定作業が煩雑となる。
【００１２】
生体情報は、日内変動以外にも、気温又は曜日等によっても変動することが知られている。例えば、血圧情報は、夏よりも冬の方が高いことが知られている。また、血圧情報は、月曜日が他の曜日と比較して高くなることが知られている。したがって、１日又は１週間等の長い期間で生体情報の測定を行う場合等には、これらの変動を考慮して生体情報を評価するための閾値等の基準値を設定する必要がある。
【００１３】
なお、特許文献１〜４は、気温又は曜日等の違いによる生体情報の変動について考慮していない。
【００１４】
本発明は、上記事情に鑑みてなされたものであり、日内変動と日内変動以外の様々な要因で変動する生体情報に対して適切な評価を行うことのできる生体情報評価装置、生体情報測定装置、生体情報評価方法、及び、生体情報評価プログラムを提供することを目的とする。
【課題を解決するための手段】
【００１５】
本発明の生体情報評価装置は、被測定者から測定されて第一の記憶部に記憶された生体情報を評価する生体情報評価装置であって、複数に分割された１日の分割期間毎の生体情報の基準値を示す基準データに基づいて、前記第一の記憶部に記憶された生体情報を評価する生体情報評価部と、前記生体情報評価部が当該生体情報の評価に用いる前記基準データを制御する基準データ制御部と、を備え、前記基準データ制御部は、暦情報と人の属性情報の組み合わせ毎に前記基準データを記憶する第二の記憶部から、前記第一の記憶部に記憶された生体情報の測定時の暦情報と前記被測定者の属性情報との組み合わせに対応する基準データを取得し、取得した基準データを、前記生体情報評価部が当該生体情報の評価に利用する基準データとして設定するものである。
本発明の生体情報評価装置は、被測定者から測定されて第一の記憶部に記憶された生体情報を評価する生体情報評価装置であって、複数に分割された１日の分割期間毎の生体情報の基準値を示す基準データに基づいて、前記第一の記憶部に記憶された生体情報を評価する生体情報評価部と、前記生体情報評価部が当該生体情報の評価に用いる前記基準データを制御する基準データ制御部と、を備え、前記基準データ制御部は、暦情報と人の属性情報と気温情報の組み合わせ毎に前記基準データを記憶する第二の記憶部から、前記第一の記憶部に記憶された生体情報の測定時の暦情報及び気温情報と前記被測定者の属性情報との組み合わせに対応する基準データを取得し、取得した基準データを、前記生体情報評価部が当該生体情報の評価に利用する基準データとして設定するものである。
本発明の生体情報評価装置は、被測定者から測定されて第一の記憶部に記憶された生体情報を評価する生体情報評価装置であって、複数に分割された１日の分割期間毎の生体情報の基準値を示す基準データに基づいて、前記第一の記憶部に記憶された生体情報を評価する生体情報評価部と、前記生体情報評価部が当該生体情報の評価に用いる前記基準データを制御する基準データ制御部と、を備え、前記基準データ制御部は、前記被測定者から生体情報を測定する生体情報測定部により測定されて前記第一の記憶部に記憶された７日分の生体情報に基づいて曜日毎に前記基準データを生成し、前記第一の記憶部に記憶された生体情報の測定時の曜日情報に対応する前記基準データを、当該生体情報の測定時の月情報に基づいて補正し、補正後の基準データを前記生体情報評価部が当該生体情報の評価に利用する基準データとして設定するものである。
本発明の生体情報評価装置は、被測定者から測定されて第一の記憶部に記憶された生体情報を評価する生体情報評価装置であって、複数に分割された１日の分割期間毎の生体情報の基準値を示す基準データに基づいて、前記第一の記憶部に記憶された生体情報を評価する生体情報評価部と、前記生体情報評価部が当該生体情報の評価に用いる前記基準データを制御する基準データ制御部と、を備え、前記基準データ制御部は、前記被測定者から生体情報を測定する生体情報測定部により測定されて前記第一の記憶部に記憶された７日分の生体情報に基づいて曜日毎に前記基準データを生成し、前記第一の記憶部に記憶された生体情報の測定時の曜日情報に対応する前記基準データを、当該生体情報の測定時の気温情報に基づいて補正し、補正後の基準データを前記生体情報評価部が当該生体情報の評価に利用する基準データとして設定するものである。
【００１７】
本発明の生体情報評価装置の作動方法は、被測定者から測定されて第一の記憶部に記憶された生体情報を評価する生体情報評価装置の作動方法であって、前記生体情報評価装置が、複数に分割された１日の分割期間毎の生体情報の基準値を示す基準データに基づいて、前記第一の記憶部に記憶された生体情報を評価する生体情報評価ステップと、前記生体情報評価装置が、前記生体情報評価ステップにおいて当該生体情報の評価に用いる前記基準データを制御する基準データ制御ステップと、を備え、前記基準データ制御ステップでは、暦情報と人の属性情報の組み合わせ毎に前記基準データを記憶する第二の記憶部から、前記第一の記憶部に記憶された生体情報の測定時の暦情報と前記被測定者の属性情報との組み合わせに対応する基準データを取得し、取得した基準データを、前記生体情報評価ステップで当該生体情報の評価に利用する基準データとして設定するものである。
【００１８】
本発明の生体情報評価プログラムは、被測定者から測定されて第一の記憶部に記憶された生体情報を評価する生体情報評価プログラムであって、複数に分割された１日の分割期間毎の生体情報の基準値を示す基準データに基づいて、前記第一の記憶部に記憶された生体情報を評価する生体情報評価ステップと、前記生体情報評価ステップにおいて当該生体情報の評価に用いる前記基準データを制御する基準データ制御ステップと、を備え、前記基準データ制御ステップでは、暦情報と人の属性情報の組み合わせ毎に前記基準データを記憶する第二の記憶部から、前記第一の記憶部に記憶された生体情報の測定時の暦情報と前記被測定者の属性情報との組み合わせに対応する基準データを取得し、取得した基準データを、前記生体情報評価ステップで当該生体情報の評価に利用する基準データとして設定する手順をコンピュータに実行させるためのものである。
【発明の効果】
【００１９】
本発明によれば、日内変動と日内変動以外の様々な要因で変動する生体情報に対して適切な評価を行うことのできる生体情報評価装置、生体情報測定装置、生体情報評価方法、及び、生体情報評価プログラムを提供することができる。
【図面の簡単な説明】
【００２０】
【図１】本発明の一実施形態を説明するための生体情報評価支援システム１００の概略構成を示す図である。
【図２】図１に示す生体情報評価支援システム１００の生体情報測定装置１の内部ハードウェア構成を示す図である。
【図３】図２に示す生体情報測定装置１のシステム制御部１１の機能ブロック図である。
【図４】基準データの一例を示す図である。
【図５】図１に示す生体情報評価支援システム１００の生体情報管理装置２の内部ハードウェア構成を示す図である。
【図６】図５に示す生体情報管理装置２のシステム制御部２１の機能ブロック図である。
【図７】図５に示す生体情報管理装置２の第二の記憶部２３のデータ構造の一例を示す図である。
【図８】図５に示す生体情報管理装置２の第二の記憶部２３のデータ構造の一例を示す図である。
【図９】図５に示す生体情報管理装置２の第二の記憶部２３に記憶される基準データの例を示す図である。
【図１０】図１に示す生体情報評価支援システム１００の生体情報測定装置１の動作を説明するためのフローチャートである。
【図１１】図１に示す生体情報評価支援システム１００の変形例である生体情報評価支援システム１００Ａの概略構成を示す図である。
【図１２】図１１に示す生体情報評価支援システム１００Ａの病院端末４の内部ハードウェア構成を示す図である。
【図１３】図１２に示す病院端末４のシステム制御部４１の機能ブロック図である。
【図１４】図１１に示す生体情報評価支援システム１００Ａの病院端末４の動作を説明するためのフローチャートである。
【図１５】図５に示す生体情報管理装置２の第二の記憶部２３に記憶される基準データの変形例を示す図である。
【図１６】変形例の生体情報評価支援システム１００における生体情報測定装置１の動作を説明するためのフローチャートである。
【図１７】変形例の生体情報評価支援システム１００Ａにおける病院端末４の動作を説明するためのフローチャートである。
【図１８】本発明の一実施形態を説明するための生体情報測定装置１Ｂの内部ハードウェア構成を示す図である。
【図１９】図１８に示す生体情報測定装置１Ｂのシステム制御部１１の機能ブロック図である。
【図２０】図１８に示すシステム制御部１１の基準データ制御部１１０Ｃによる基準データの補正処理の一例を示す図である。
【図２１】図１８に示す生体情報測定装置１Ｂの動作を説明するためのフローチャートである。
【図２２】本発明の一実施形態を説明するための生体情報評価支援システム１００Ｂの概略構成を示す図である。
【図２３】図２２に示す病院端末４Ａのシステム制御部４１の機能ブロック図である。
【図２４】図２２に示す生体情報評価支援システム１００Ｂの病院端末４Ａの動作を説明するためのフローチャートである。
【発明を実施するための形態】
【００２１】
以下、本発明の実施形態について図面を参照して説明する。
【００２２】
図１は、本発明の一実施形態を説明するための生体情報評価支援システム１００の概略構成を示す図である。
【００２３】
生体情報評価支援システム１００は、複数（図１の例では３つ）の生体情報測定装置１と、生体情報管理装置２と、インターネット等のネットワーク３と、を備える。
【００２４】
複数の生体情報測定装置１は、それぞれネットワーク３に接続可能に構成されている。生体情報管理装置２は、生体情報評価支援システム１００の運営者が管理する装置であり、ネットワーク３に接続可能に構成されている。
【００２５】
図２は、図１に示す生体情報評価支援システム１００の生体情報測定装置１の内部ハードウェア構成を示す図である。
【００２６】
生体情報測定装置１は、血圧情報、脈拍情報、又は、心拍情報等の生体情報を測定するものである。血圧情報は、例えば収縮期血圧、拡張期血圧、又は、平均血圧等を含む。脈拍情報は例えば脈拍数等を含む。心拍情報は例えば心拍数等を含む。
【００２７】
生体情報測定装置１は、脈波検出部１０と、全体を統括制御するシステム制御部１１と、通信インタフェース（Ｉ／Ｆ）１２、第一の記憶部１３と、操作部１４と、表示部１５と、を備える。
【００２８】
脈波検出部１０は、被測定者の生体部位（例えば手首等）から脈波を検出する。脈波検出部１０は、例えばトノメトリ法によって脈波としての圧脈波を検出するもの等が用いられる。脈波検出部１０は、脈波として容積脈波を検出するものであってもよい。脈波検出部１０は、動脈に光を当てて得られる動脈からの反射光によって脈波を検出するものであってもよい。
【００２９】
脈波検出部１０は、１拍（心臓が１回拍動する期間）毎に発生する脈波を検出し、検出した脈波をシステム制御部１１に入力する。
【００３０】
システム制御部１１は、プロセッサを主体に構成されており、プロセッサの実行するプログラム等が記憶されるＲＯＭ（Ｒｅａｄ  Ｏｎｌｙ  Ｍｅｍｏｒｙ）、及び、ワークメモリとしてのＲＡＭ（Ｒａｎｄｏｍ  Ａｃｃｅｓｓ  Ｍｅｍｏｒｙ）等を含む。システム制御部１１は生体情報評価装置を構成する。
【００３１】
通信Ｉ／Ｆ１２は、有線又は無線等でネットワーク３に接続するためのインタフェースである。
【００３２】
第一の記憶部１３は、生体情報測定装置１によって測定された生体情報等の各種データを記憶する記憶媒体である。第一の記憶部１３は、例えばフラッシュメモリ等により構成される。第一の記憶部１３は、生体情報測定装置１に着脱可能な可搬型の記憶媒体であってもよい。
【００３３】
操作部１４は、システム制御部１１に対する指示信号を入力するためのインタフェースであり、生体情報の測定を含む各種動作の開始又は終了等を指示するためのボタン又はタッチパネル等により構成される。
【００３４】
表示部１５は、測定された生体情報等の各種情報を表示するためのものであり、例えば液晶表示装置等により構成される。
【００３５】
図３は、図２に示す生体情報測定装置１のシステム制御部１１の機能ブロック図である。
【００３６】
システム制御部１１は、生体情報測定部１１Ａと、データ送信制御部１１Ｂと、基準データ制御部１１Ｃと、生体情報評価部１１Ｄと、を備える。
【００３７】
生体情報測定部１１Ａ、データ送信制御部１１Ｂ、基準データ制御部１１Ｃ、及び、生体情報評価部１１Ｄは、ＲＯＭに記憶されるプログラムをプロセッサが実行することによって構成される。このプログラムは、生体情報評価プログラムを含む。
【００３８】
生体情報測定部１１Ａは、脈波検出部１０から入力された脈波に基づいて周知の方法により生体情報を測定する。生体情報測定部１１Ａは、測定した生体情報と、この生体情報の測定に用いた脈波の検出時刻情報（以下、生体情報の測定時刻情報という）と、この生体情報の測定時の日付情報及び曜日情報と、を対応付けて、第一の記憶部１３に記憶する。
【００３９】
具体的には、生体情報測定部１１Ａは、生体情報、測定時刻情報、日付情報、及び、曜日情報を含む測定データを生成し、この測定データを第一の記憶部１３に記憶する。
【００４０】
日付情報は、西暦と１月〜１２月等の月と１日〜３１日等の日の組み合わせの情報、月と日の組み合わせの情報、又は、月の情報等の情報である。
【００４１】
曜日情報は、月曜日、火曜日、・・・、又は、日曜日等の曜日を示す情報である。日付情報と曜日情報は、それぞれ暦情報の１つである。
【００４２】
データ送信制御部１１Ｂは、生体情報の測定開始指示があったタイミング、又は、生体情報測定装置１がネットワーク３に接続したタイミング等の予め決められたタイミングで、第一の記憶部１３に記憶されている測定データ（生体情報＋測定時刻情報＋日付情報＋曜日情報）に被測定者のＩＤを付加し、ＩＤを付加した測定データを、通信Ｉ／Ｆ１２から生体情報管理装置２に送信させる。
【００４３】
なお、被測定者のＩＤは、操作部１４を操作することにより手動で第一の記憶部１３に記憶できるようになっている。このＩＤは、例えば被測定者が通う病院において割り当てられたＩＤが用いられる。
【００４４】
生体情報評価部１１Ｄは、第一の記憶部１３に記憶される測定データに含まれる生体情報の評価を基準データに基づいて行う。生体情報の評価とは、その生体情報が健康状態に留意すべき値となっているかどうかを判定することを意味し、具体的には、生体情報が基準データを構成する基準値を超えるか否か判定することを言う。
【００４５】
生体情報評価部１１Ｄは、生体情報が基準値を超える場合には、基準値が超えたことを示す情報（例えばフラグ）を測定データに付加することで、評価結果を記憶する。
【００４６】
基準データとは、複数に分割された１日の分割期間毎の生体情報の基準値を示すデータである。この分割期間の長さは、例えば３０分、１時間、又は、２時間等の任意の値が設定される。また、各分割期間は同一の長さでなくてもよく、分割期間の長さにはばらつきがあってもよい。
【００４７】
図４は、基準データの一例を示す図である。
【００４８】
図４に示した基準データは、１日を１時間単位で２４個に均等に分割して得られる各分割期間に対して１つの基準値が対応付けられたデータである。図４に示す横軸は１日における時刻を示し、縦軸は生体情報の基準値を示す。図４では、生体情報として血圧情報を例にしているため、基準値の単位は［ｍｍＨｇ］となっている。
【００４９】
図４に示す基準データは、Ｎが０〜２３のいずれかとして、Ｎ時台（Ｎ時〜Ｎ時５９分５９秒の間の期間）に対して１つの基準値が対応付けられたデータ構成となっている。
【００５０】
基準データ制御部１１Ｃは、生体情報評価部１１Ｄが生体情報の評価に用いる上記の基準データを制御する。
【００５１】
例えば、基準データ制御部１１Ｃは、生体情報の測定開始指示があると、第一の記憶部１３に記憶された測定データと、基準データの送信を要求する要求信号と、を通信Ｉ／Ｆ１２から生体情報管理装置２に送信させる。
【００５２】
基準データ制御部１１Ｃは、この要求信号に応じて生体情報管理装置２から送信されてきて通信Ｉ／Ｆ１２で受信された基準データを取得する。基準データ制御部１１Ｃは、取得した基準データを、生体情報評価部１１Ｄが生体情報の評価に用いる基準データ（以下、評価用基準データという）として設定する。
【００５３】
具体的には、基準データ制御部１１Ｃは、取得した基準データに評価用フラグを付加し、評価用フラグを付加した基準データを第一の記憶部１３に記憶する。この一連の処理により、この基準データが評価用基準データとして設定される。生体情報評価部１１Ｄは、評価用フラグが付加されている評価用基準データに基づいて生体情報の評価を行う。
【００５４】
なお、基準データ制御部１１Ｃは、評価用フラグが付加されている基準データが第一の記憶部１３に存在する場合には、この基準データに上書きする形で、新たに評価用フラグを付加した基準データを記憶する。
【００５５】
図５は、図１に示す生体情報評価支援システム１００の生体情報管理装置２の内部ハードウェア構成を示す図である。
【００５６】
生体情報管理装置２は、全体を統括制御するシステム制御部２１と、通信インタフェース（Ｉ／Ｆ）２２と、第二の記憶部２３と、を備える。
【００５７】
システム制御部２１は、プロセッサを主体に構成されており、プロセッサの実行するプログラム等が記憶されるＲＯＭ及びワークメモリとしてのＲＡＭ等を含む。
【００５８】
通信Ｉ／Ｆ２２は、有線又は無線等でネットワーク３に接続するためのインタフェースである。
【００５９】
第二の記憶部２３は、生体情報測定装置１から送信され通信Ｉ／Ｆ２２により受信された測定データ（生体情報＋測定時刻情報＋日付情報＋曜日情報）及びＩＤと、被測定者の属性情報と、を記憶する。
【００６０】
第二の記憶部２３は、例えばフラッシュメモリ等の記憶媒体により構成される。第二の記憶部２３は、生体情報管理装置２からアクセス可能な場所にあればよく、例えばネットワーク３に接続されたストレージサーバ等であってもよい。
【００６１】
属性情報とは、性別、年齢、及び、罹患状態を示す情報である。罹患状態を示す情報は、例えば、罹患の有無を示す情報と、罹患有りの場合は、高血圧又は糖尿病等の病名を示す情報とを含む。
【００６２】
被測定者の属性情報と、この被測定者に割り当てられたＩＤは、周知の方法で第二の記憶部２３に予め記憶される。例えば病院に設置され、生体情報管理装置２にアクセス可能なパーソナルコンピュータ等の病院端末を病院関係者又は被測定者が操作することで、この病院端末によって属性情報及びＩＤを第二の記憶部２３に記憶することができる。
【００６３】
図６は、図５に示す生体情報管理装置２のシステム制御部２１の機能ブロック図である。
【００６４】
システム制御部２１は、基準データ生成部２１Ａと、測定データ記憶制御部２１Ｂと、を備える。基準データ生成部２１Ａ及び測定データ記憶制御部２１Ｂは、システム制御部２１のプロセッサがＲＯＭに記憶されたプログラムを実行することにより構成される。
【００６５】
測定データ記憶制御部２１Ｂは、生体情報測定装置１から送信されて通信Ｉ／Ｆ２２により受信された測定データを第二の記憶部２３に記憶する制御を行う。
【００６６】
図７及び図８は、図５に示す生体情報管理装置２の第二の記憶部２３のデータ構造の一例を示す図である。
【００６７】
第二の記憶部２３には、図７に示すように、被測定者のＩＤ毎に属性情報が対応付けられた属性テーブルが記憶される、また、第二の記憶部２３には、図８に示すように、被測定者のＩＤ毎に、日付情報、曜日情報、測定時刻情報、及び、生体情報のセットが対応付けられた測定テーブルが記憶される。
【００６８】
基準データ生成部２１Ａは、第二の記憶部２３に記憶された属性テーブル及び測定テーブルのデータに基づいて、暦情報と属性情報の組み合わせ毎に基準データを生成し、生成した基準データを第二の記憶部２３に記憶する。
【００６９】
具体的には、基準データ生成部２１Ａは、属性テーブルを参照して、任意のＩＤと、この任意のＩＤに対応する属性情報と同じ属性情報が対応するＩＤとを選択する。図７に示す例では、ＩＤ＝１２３４６を任意のＩＤとした場合には、ＩＤ＝１２３４６と属性情報が同じとなるＩＤ＝１２３４８が選択される。
【００７０】
次に、基準データ生成部２１Ａは、測定テーブルを参照して、選択したＩＤに対応する生体情報、測定時刻情報、日付情報、及び、曜日情報のセットを抽出する。
【００７１】
基準データ生成部２１Ａは、抽出したセットを、月情報と曜日情報の組み合わせが同じものでグループ分けする。基準データ生成部２１Ａは、グループ分けして得られた各セットグループに属する生体情報を、測定時刻情報の“時”の情報（１〜１２）が同じものでグループ分けする。
【００７２】
基準データ生成部２１Ａは、“時”の情報でグループ分けして得られた各期間グループに属する生体情報の代表値を、この期間グループに対する基準値として生成する。
【００７３】
代表値とは、期間グループに属する全ての生体情報の平均値、期間グループに属する全ての生体情報のうちの最頻値、又は、期間グループに属する全ての生体情報の中心値等の、期間グループに属する生体情報の傾向を示す値である。
【００７４】
このような処理により、各セットグループに対して図４に示すような基準データが生成される。つまり、任意の属性情報に対して、図９に示すように、暦情報（月及び曜日の組み合わせ）毎の基準データが記憶される。基準データ生成部２１Ａは、属性テーブルに含まれる未選択のＩＤについて同様の処理を繰り返すことで、属性テーブルに含まれる全ての属性情報毎に図９に示す基準データ群を生成して第二の記憶部２３に記憶する。
【００７５】
第二の記憶部２３に記憶される基準データは、第二の記憶部２３に記憶される測定データの数又はＩＤの数が増えるほど、平準化したものが生成されるようになり、生体情報の評価のための基準として有効なものとなる。
【００７６】
次に、図１に示す生体情報評価支援システム１００の動作を説明する。
【００７７】
図１０は、図１に示す生体情報評価支援システム１００の生体情報測定装置１の動作を説明するためのフローチャートである。
【００７８】
ここでは、生体情報測定装置１の通信Ｉ／Ｆ１２が、例えば移動体通信ネットワークに接続可能であり、この移動体通信ネットワークを介してネットワーク３に任意のタイミングで接続可能であるものとする。
【００７９】
生体情報測定装置１が被測定者に装着され、被測定者によって生体情報の測定開始指示がなされると、生体情報測定装置１の基準データ制御部１１Ｃは、現在の月情報及び曜日情報と、被測定者のＩＤと、基準データの送信を要求する要求信号と、を通信Ｉ／Ｆ１２から生体情報管理装置２に送信させる。
【００８０】
この要求信号を受信した生体情報管理装置２のシステム制御部２１は、要求信号と併せて受信した被測定者のＩＤと、第二の記憶部２３の属性テーブルとに基づいて、要求信号の送信元の生体情報測定装置１の利用者（被測定者）の属性情報を判定する。
【００８１】
続いて、生体情報管理装置２のシステム制御部２１は、判定した属性情報に対応して第二の記憶部２３に記憶されている基準データのうち、上記の要求信号と併せて受信した月情報及び曜日情報の組み合わせに対応する基準データを読み出す。そして、生体情報管理装置２のシステム制御部２１は、読み出した基準データを要求信号の送信元の生体情報測定装置１に送信する。
【００８２】
生体情報測定装置１の基準データ制御部１１Ｃは、生体情報管理装置２から送信されて通信Ｉ／Ｆ１２で受信された基準データを取得し、この基準データを評価用基準データとして設定する（ステップＳ１）。
【００８３】
次に、生体情報測定部１１Ａは、被測定者から生体情報を測定し（ステップＳ２）、測定した生体情報と、この生体情報の測定時刻情報と、現在の日付情報及び曜日情報と、を含む測定データを第一の記憶部１３に記憶する（ステップＳ３）。
【００８４】
次に、生体情報評価部１１Ｄは、ステップＳ３で記憶された測定データに含まれる生体情報（例えば収縮期血圧）が、評価用基準データにおいて該測定データに含まれる測定時刻情報に対応する基準値を超えるか否かを判定する（ステップＳ４）。
【００８５】
ステップＳ４の判定がＮＯの場合は、ステップＳ７に処理が移行される。
【００８６】
ステップＳ４の判定がＹＥＳの場合、生体情報評価部１１Ｄは、ステップＳ３で記憶された測定データに対し、基準値を超えたことを示すフラグを付加する（ステップＳ５）。
【００８７】
そして、生体情報測定装置１のシステム制御部１１は、測定された生体情報が基準値を超えていることを示す情報を表示部１５に表示させる等して、この情報を被測定者に通知し（ステップＳ６）、ステップＳ７の処理を行う。
【００８８】
ステップＳ７において、生体情報測定装置１のシステム制御部１１は、生体情報の測定終了指示がなされたかを判定し、測定終了指示がなされた場合には（ステップＳ７：ＹＥＳ）、測定動作を終了する。
【００８９】
生体情報測定装置１のシステム制御部１１は、測定終了指示がなされていない場合には（ステップＳ７：ＮＯ）、現在の月情報及び曜日情報を確認し、ステップＳ１の処理が行われた後に月情報又は曜日情報が変化したか否かを判定する（ステップＳ８）。
【００９０】
なお、日付又は曜日が変わるタイミングは、通常、午前０時であるが、このタイミングを午前６時等の予め定めた時刻とし、システム制御部１１は、ステップＳ１の処理が行われた後に、この時刻に到達すると、日付又は曜日が変化したと判定してもよい。
【００９１】
そして、ステップＳ８の判定がＹＥＳの場合にはステップＳ１に処理を戻し、ステップＳ８の判定がＮＯの場合にはステップＳ２に処理を戻す。
【００９２】
以上のように、生体情報評価支援システム１００によれば、生体情報の評価のために用いられる評価用基準データが、１日を複数に分割して得られる分割期間毎に基準値を持つデータであるため、生体情報の日内変動を考慮した最適な基準値で生体情報の評価を行うことができる。
【００９３】
また、評価用基準データは常に同じではなく、生体情報の測定時の月情報又は曜日情報によって適宜変更される。このため、気温の違い又は曜日の違い等による生体情報の変動を考慮した最適な基準値で生体情報の評価を行うことができる。
【００９４】
また、性別の違い、年齢の違い、又は、持病の有無等によっても生体情報は大きく異なるが、生体情報測定装置１では、被測定者と同じ属性情報の人の生体情報から生成された基準データに基づいて生体情報の評価を行うことができる。このため、個々人の属性情報を考慮した最適な基準値で生体情報の評価を行うことができる。
【００９５】
なお、図１０に示すフローチャートのステップＳ３において、生体情報測定部１１Ａは、ステップＳ１で設定された評価用基準データを、測定した生体情報と対応付けて第一の記憶部１３に記憶してもよい。これにより、生体情報に対してどのような基準データを用いて評価がなされたのかを後で確認することが可能となり、診断等に役立てることができる。
【００９６】
図１１は、図１に示す生体情報評価支援システム１００の変形例である生体情報評価支援システム１００Ａの概略構成を示す模式図である。
【００９７】
図１１に示す生体情報評価支援システム１００Ａは、生体情報測定装置１が生体情報測定装置１Ａに変更され、病院端末４が追加された点を除いては、図１に示す生体情報評価支援システム１００と同じ構成である。このため、図１と同一の構成には同一符号を付して説明を省略する。
【００９８】
生体情報評価支援システム１００Ａでは、生体情報測定装置１Ａにおいて生体情報の評価を行うのではなく、病院端末４において生体情報の評価を行うことを想定している。
【００９９】
例えば、病院に通う患者が生体情報測定装置１Ａで所定期間にわたって生体情報を測定した後、生体情報測定装置１Ａを病院に持ち込む。そして、病院では、生体情報測定装置１Ａから測定データを病院端末４に読み込んで、病院端末４において生体情報の評価とその評価結果の表示を行い、その評価結果を参照して医師による診察が行われる。
【０１００】
病院端末４は、ネットワーク３を介して生体情報管理装置２にアクセス可能であり、例えば病院に設置されたパーソナルコンピュータ又はタブレット端末等の電子機器である。
【０１０１】
また、病院端末４は、生体情報測定装置１と有線又は無線等で接続可能であり、第一の記憶部１３のデータを読み込み可能である。なお、第一の記憶部１３が可搬型の記憶媒体である場合には、病院端末４がこの記憶媒体からデータを読み取り可能な手段を有し、装着された記憶媒体からデータを読み取る構成としてもよい。
【０１０２】
生体情報測定装置１Ａの内部ハードウェア構成は図２に示したものと同じであるため説明を省略する。生体情報測定装置１Ａのシステム制御部１１の機能ブロック図は、図３において基準データ制御部１１Ｃ及び生体情報評価部１１Ｄが削除されたものである。
【０１０３】
図１２は、図１１に示す生体情報評価支援システム１００Ａの病院端末４の内部ハードウェア構成を示す図である。
【０１０４】
病院端末４は、全体を統括制御するシステム制御部４１と、通信インタフェース（Ｉ／Ｆ）４２と、第三の記憶部４３と、操作部４４と、表示部４５と、を備える。
【０１０５】
システム制御部４１は、プロセッサを主体に構成されており、プロセッサの実行するプログラム等が記憶されるＲＯＭ及びワークメモリとしてのＲＡＭ等を含む。
【０１０６】
通信Ｉ／Ｆ４２は、有線又は無線等でネットワーク３に接続するためのインタフェースと、生体情報測定装置１Ａを含む電子機器と有線又は無線で接続するためのインタフェースとを含む。
【０１０７】
第三の記憶部４３は、生体情報測定装置１Ａから読み出したデータを記憶する記憶媒体である。第三の記憶部４３は、例えばフラッシュメモリ等の記憶媒体により構成される。第三の記憶部４３は、病院端末４からアクセス可能な場所にあればよく、例えばネットワーク３に接続されたストレージサーバ等であってもよい。
【０１０８】
操作部４４は、システム制御部４１に対する指示信号を入力するためのインタフェースであり、キーボード、マウス、ボタン、又は、タッチパネル等により構成される。
【０１０９】
表示部４５は、第三の記憶部４３に記憶された生体情報等の各種情報を表示するためのものであり、例えば液晶表示装置等により構成される。
【０１１０】
図１３は、図１２に示す病院端末４のシステム制御部４１の機能ブロック図である。
【０１１１】
システム制御部４１は、基準データ制御部４１Ｃと、生体情報評価部４１Ｄと、を備える。
【０１１２】
基準データ制御部４１Ｃ及び生体情報評価部４１Ｄは、ＲＯＭに記憶されるプログラムをプロセッサが実行することによって構成される。このプログラムは、生体情報評価プログラムを含む。システム制御部４１は生体情報評価装置を構成する。
【０１１３】
基準データ制御部４１Ｃは、生体情報評価部４１Ｄが評価に用いる基準データの設定を行う。
【０１１４】
生体情報評価部４１Ｄは、基準データ制御部４１Ｃによって設定された基準データ（評価用基準データ）に基づいて、生体情報測定装置１Ａから取得して第三の記憶部４３に記憶した生体情報の評価を行う。
【０１１５】
図１４は、図１１に示す生体情報評価支援システム１００Ａの病院端末４の動作を説明するためのフローチャートである。
【０１１６】
まず、被測定者によって生体情報測定装置１Ａが病院に持ち込まれ、病院に設置された病院端末４と接続される。この状態で、病院端末４のシステム制御部４１は、生体情報測定装置１Ａの第一の記憶部１３に記憶されている測定データと被測定者のＩＤを読み込み、読み込んだ測定データ及びＩＤを第三の記憶部４３に記憶する（ステップＳ１１）。
【０１１７】
次に、システム制御部４１の基準データ制御部４１Ｃは、第三の記憶部４３に記憶した測定データのうち、任意の月情報と任意の曜日情報を含む測定データを選択する（ステップＳ１２）。
【０１１８】
次に、システム制御部４１の基準データ制御部４１Ｃは、選択した測定データに含まれる月情報及び曜日情報と、第三の記憶部４３に記憶したＩＤと、基準データの送信を要求する要求信号と、を生体情報管理装置２に送信する。
【０１１９】
この要求信号を受信した生体情報管理装置２のシステム制御部２１は、要求信号と併せて受信した被測定者のＩＤと、第二の記憶部２３の属性テーブルとに基づいて、該ＩＤに対応する属性情報を判定する。
【０１２０】
続いて、生体情報管理装置２のシステム制御部２１は、判定した属性情報に対応して第二の記憶部２３に記憶されている基準データのうち、上記の要求信号と併せて受信した月情報及び曜日情報の組み合わせに対応する基準データを読み出す。そして、生体情報管理装置２のシステム制御部２１は、読み出した基準データを要求信号の送信元の病院端末４に送信する。
【０１２１】
病院端末４の基準データ制御部４１Ｃは、生体情報管理装置２から送信されて通信Ｉ／Ｆ４２で受信された基準データを取得し、この基準データを評価用基準データとして設定する（ステップＳ１３）。
【０１２２】
次に、病院端末４の生体情報評価部４１Ｄは、ステップＳ１２で選択した測定データに含まれる生体情報のうちの１つを評価対象として設定する（ステップＳ１４）。
【０１２３】
次に、病院端末４の生体情報評価部４１Ｄは、評価対象の生体情報（例えば収縮期血圧）が、ステップＳ１３で設定した評価用基準データにおいて該生体情報の測定時刻情報に対応する基準値を超えるか否かを判定する（ステップＳ１５）。
【０１２４】
ステップＳ１５の判定がＮＯ場合はステップＳ１７に処理が移行される。
【０１２５】
ステップＳ１５の判定がＹＥＳの場合、病院端末４の生体情報評価部４１Ｄは、評価対象の生体情報に対し、基準値を超えたことを示すフラグを付加し（ステップＳ１６）、ステップＳ１７に処理を移行する。
【０１２６】
ステップＳ１７において、病院端末４の生体情報評価部４１Ｄは、選択中の測定データに含まれる全ての生体情報を評価対象として設定したか否かを判定する。
【０１２７】
ステップＳ１７の判定がＮＯの場合、病院端末４の生体情報評価部４１Ｄは、評価対象とする生体情報を、評価対象としてまだ設定していないものに変更し（ステップＳ１８）、ステップＳ１５に処理を戻す。
【０１２８】
ステップＳ１７の判定がＹＥＳの場合、病院端末４の生体情報評価部４１Ｄは、第三の記憶部４３に記憶した測定データのうち未選択の測定データがあるか否かを判定する（ステップＳ１９）。
【０１２９】
ステップＳ１９の判定がＹＥＳの場合、病院端末４の生体情報評価部４１Ｄは、月情報及び曜日情報の組み合わせを別の組み合わせに変更して、変更後の月情報及び曜日情報を含む測定データを選択し（ステップＳ２０）、ステップＳ１３に処理を戻す。
【０１３０】
ステップＳ１９の判定がＮＯの場合、病院端末４のシステム制御部４１は、生体情報の測定結果を通知し（ステップＳ２１）、処理を終了する。
【０１３１】
病院端末４のシステム制御部４１は、例えば、評価を行った各生体情報を縦軸とし、測定時刻を横軸としたグラフを表示部４５に表示させ、このグラフにおいて、基準値が超えている生体情報をハイライト表示させる。
【０１３２】
以上のように、生体情報評価支援システム１００Ａによれば、生体情報評価支援システム１００と同様に、生体情報の評価を適切に行うことができる。
【０１３３】
また、生体情報評価支援システム１００Ａによれば、生体情報測定装置１Ａの機能を簡略化することができ、生体情報測定装置１Ａの製造コスト削減及び消費電力の低減が可能となる。
【０１３４】
なお、図１に示した生体情報評価支援システム１００では、生体情報測定装置１が生体情報の測定と生体情報の評価を並行して行うものとしたが、生体情報測定装置１が生体情報の評価を行うタイミングは、生体情報の測定中でなくともよい。
【０１３５】
この場合は、生体情報測定装置１のシステム制御部１１が、生体情報の測定終了後又は被測定者から指示されたタイミング等で、第一の記憶部１３に記憶された測定データを対象として、図１４に示したステップＳ１２以降の処理を開始するものとすればよい。
【０１３６】
図１０に示す動作例のように、生体情報測定装置１が生体情報の測定と生体情報の評価を並行して行う場合には、生体情報が基準値を超えたタイミングでリアルタイムに被測定者への通知が可能となる。このため、生体情報を厳重に管理する必要のある人にとって有効である。
【０１３７】
以上の説明では、月情報及び曜日情報と属性情報の組み合わせ毎に基準データが生成されて第二の記憶部２３に記憶されるものとした。この変形例として、気温情報と曜日情報と属性情報の組み合わせ毎に基準データが生成されて第二の記憶部２３に記憶されてもよい。以下、この変形例について説明する。
【０１３８】
この変形例では、生体情報測定装置１又は生体情報測定装置１Ａが、生体情報を測定しているときの装置の周囲の温度（気温）を検出する温度センサを有する。
【０１３９】
この変形例における生体情報測定装置１又は生体情報測定装置１Ａの生体情報測定部１１Ａは、測定した生体情報と、この生体情報の測定時刻情報と、この生体情報の測定時の日付情報及び曜日情報と、この生体情報の測定時の気温情報と、を対応付けて、第一の記憶部１３に記憶する。生体情報測定部１１Ａは、温度センサによって検出される温度の情報から上記の気温情報を生成する。
【０１４０】
なお、気温情報とは、温度センサによって検出された温度そのものであってもよいし、温度センサによって検出された温度が予め決められた複数段階の気温範囲のどこに属するかを示す情報であってもよい。
【０１４１】
例えば、気温範囲として、０℃以下、０℃〜１０℃、１０℃〜２０℃、２０℃〜３０℃、３０℃以上といった５段階が設定されている場合に、温度センサによって検出された温度が２６℃であれば、２０℃〜３０℃の気温範囲を示す情報が気温情報として生成される。
【０１４２】
この変形例における生体情報管理装置２の基準データ生成部２１Ａは、第二の記憶部２３に記憶された属性テーブル及び測定テーブルのデータに基づいて、暦情報と属性情報と気温情報の組み合わせ毎に基準データを生成し、生成した基準データを第二の記憶部２３に記憶する。
【０１４３】
具体的には、基準データ生成部２１Ａは、属性テーブルを参照して、任意のＩＤと、この任意のＩＤに対応する属性情報と同じ属性情報が対応するＩＤとを選択する。次に、基準データ生成部２１Ａは、測定テーブルを参照して、選択したＩＤに対応する生体情報、測定時刻情報、日付情報、曜日情報、及び、気温情報のセットを抽出する。
【０１４４】
基準データ生成部２１Ａは、抽出したセットを、曜日情報と気温情報の組み合わせが同じものでグループ分けする。基準データ生成部２１Ａは、グループ分けして得られた各セットグループに属する生体情報を、測定時刻情報の“時”の情報（１〜１２）が同じものでグループ分けする。基準データ生成部２１Ａは、“時”の情報でグループ分けして得られた各期間グループに属する生体情報の代表値を、この期間グループに対する基準値として生成する。
【０１４５】
このような処理により、任意の属性情報に対して、図１５に示すように、曜日情報と気温情報の組み合わせ毎の基準データが記憶される。基準データ生成部２１Ａは、属性テーブルに含まれる未選択のＩＤについて同様の処理を繰り返すことで、属性テーブルに含まれる全ての属性情報毎に図１５に示す基準データ群を生成して第二の記憶部２３に記憶する。
【０１４６】
図１６は、変形例の生体情報評価支援システム１００における生体情報測定装置１の動作を説明するためのフローチャートである。図１６において図１０と同じ処理には同一符号を付して説明を省略する。
【０１４７】
生体情報測定装置１が被測定者に装着され、被測定者によって生体情報の測定開始指示がなされると、生体情報測定装置１の基準データ制御部１１Ｃは、現在の気温情報及び曜日情報と、被測定者のＩＤと、基準データの送信を要求する要求信号と、を通信Ｉ／Ｆ１２から生体情報管理装置２に送信させる。
【０１４８】
この要求信号を受信した生体情報管理装置２のシステム制御部２１は、要求信号と併せて受信した被測定者のＩＤと、第二の記憶部２３の属性テーブルとに基づいて、要求信号の送信元の生体情報測定装置１の利用者（被測定者）の属性情報を判定する。
【０１４９】
続いて、生体情報管理装置２のシステム制御部２１は、判定した属性情報に対応して第二の記憶部２３に記憶されている基準データのうち、上記の要求信号と併せて受信した気温情報及び曜日情報の組み合わせに対応する基準データを読み出す。そして、生体情報管理装置２のシステム制御部２１は、読み出した基準データを要求信号の送信元の生体情報測定装置１に送信する。
【０１５０】
生体情報測定装置１の基準データ制御部１１Ｃは、生体情報管理装置２から送信されて通信Ｉ／Ｆ１２で受信された基準データを取得し、この基準データを評価用基準データとして設定する（ステップＳ１ａ）。ステップＳ１ａの後は、ステップＳ２〜ステップＳ７の処理が行われる。そして、ステップＳ７の判定がＮＯの場合には、生体情報測定装置１のシステム制御部１１は、現在の気温情報及び曜日情報を確認し、ステップＳ１ａの処理が行われた後に気温情報又は曜日情報が変化したか否かを判定する（ステップＳ８ａ）。
【０１５１】
そして、システム制御部１１は、ステップＳ８ａの判定がＹＥＳの場合にはステップＳ１ａに処理を戻し、ステップＳ８ａの判定がＮＯの場合にはステップＳ２に処理を戻す。
【０１５２】
図１７は、変形例の生体情報評価支援システム１００Ａにおける病院端末４の動作を説明するためのフローチャートである。図１７において図１４と同じ処理には同一符号を付して説明を省略する。
【０１５３】
ステップＳ１１の後、システム制御部４１の基準データ制御部４１Ｃは、第三の記憶部４３に記憶した測定データのうち、任意の気温情報と任意の曜日情報を含む測定データを選択する（ステップＳ１２ａ）。
【０１５４】
次に、システム制御部４１の基準データ制御部４１Ｃは、選択した測定データに含まれる気温情報及び曜日情報と、第三の記憶部４３に記憶したＩＤと、基準データの送信を要求する要求信号と、を生体情報管理装置２に送信する。
【０１５５】
この要求信号を受信した生体情報管理装置２のシステム制御部２１は、要求信号と併せて受信した被測定者のＩＤと、第二の記憶部２３の属性テーブルとに基づいて、該ＩＤに対応する属性情報を判定する。
【０１５６】
続いて、生体情報管理装置２のシステム制御部２１は、判定した属性情報に対応して第二の記憶部２３に記憶されている基準データのうち、上記の要求信号と併せて受信した気温情報及び曜日情報の組み合わせに対応する基準データを読み出す。そして、生体情報管理装置２のシステム制御部２１は、読み出した基準データを要求信号の送信元の病院端末４に送信する。
【０１５７】
病院端末４の基準データ制御部４１Ｃは、生体情報管理装置２から送信されて通信Ｉ／Ｆ４２で受信された基準データを取得し、この基準データを評価用基準データとして設定する（ステップＳ１３ａ）。ステップＳ１３ａの後は、ステップＳ１４〜ステップＳ１９の処理が行われる。
【０１５８】
ステップＳ１９の判定がＹＥＳの場合、病院端末４のシステム制御部４１は、気温情報及び曜日情報の組み合わせを別の組み合わせに変更して、変更後の気温情報及び曜日情報を含む測定データを選択し（ステップＳ２０ａ）、ステップＳ１３ａに処理を戻す。
【０１５９】
以上のように、変形例のシステムによれば、気温情報と曜日情報と属性情報の組み合わせ毎に基準データを生成して記憶しておき、生体情報の測定時の気温情報、生体情報の被測定者の属性情報、及び、生体情報の測定時の曜日情報に対応する基準データを用いて、生体情報の評価を行うことができる。生体情報として血圧情報を想定すると、血圧情報は気温による変化が大きい。このため、生体情報の測定時の気温情報を考慮した基準データによって生体情報を評価することで、生体情報の適切な評価が可能となる。
【０１６０】
ここまでの説明では、生体情報管理装置２が、複数の生体情報測定装置１（生体情報測定装置１Ａ）により測定された複数人分の測定データに基づいて基準データの生成を行うものとした。この変形例として、生体情報測定装置１が基準データを生成する形態について以下に説明する。
【０１６１】
図１８は、本発明の一実施形態を説明するための生体情報測定装置１Ｂの内部ハードウェア構成を示す図である。図１８に示す生体情報測定装置１Ｂのハードウェア構成は、通信Ｉ／Ｆ１２が削除された点を除いては、図２に示す生体情報測定装置１と同じである。このため、図２と同じ構成には同一符号を付して説明を省略する。
【０１６２】
図１９は、図１８に示す生体情報測定装置１Ｂのシステム制御部１１の機能ブロック図である。図１９に示すシステム制御部１１は、図３において、データ送信制御部１１Ｂが削除され、基準データ制御部１１Ｃが基準データ制御部１１０Ｃに変更された構成である。このため、図３と同じ構成には同一符号を付して説明を省略する。
【０１６３】
基準データ制御部１１０Ｃは、ＲＯＭに記憶されるプログラムをプロセッサが実行することによって構成される。このプログラムは、生体情報評価プログラムを含む。生体情報測定装置１Ｂのシステム制御部１１は生体情報評価装置を構成する。
【０１６４】
基準データ制御部１１０Ｃは、生体情報測定部１１Ａにより測定されて第一の記憶部１３に記憶された測定データが７日分蓄積されると、この７日分の測定データに基づいて曜日毎の基準データを生成し、生成した基準データと、この基準データの生成に用いた生体情報の測定月の情報とを対応付けて第一の記憶部１３に記憶する。１日分の測定データとは、０時〜２３時５９分までの期間に継続的に測定して得られたデータを言う。
【０１６５】
具体的には、基準データ制御部１１０Ｃは、同じ月の月曜日に測定された１日分の測定データに含まれる生体情報を“時”の情報でグループ分けして得られた各期間グループに属する生体情報の代表値を、この期間グループに対する基準値として生成する。このような処理により、月曜日に対応した基準データが生成される。基準データ制御部１１０Ｃは、月曜日に対応する基準データと、この基準データの生成に用いた測定データに含まれる月情報とを対応付けて第一の記憶部１３に記憶する。
【０１６６】
基準データ制御部１１０Ｃは、同様の処理を他の曜日で測定された測定データに対しても行うことで、月曜日〜日曜日の各々に対応する基準データを生成し記憶する。
【０１６７】
基準データ制御部１１０Ｃは、生体情報の評価が行われる時には、第一の記憶部１３に記憶された基準データのうち、評価対象となる生体情報に対応付けられた曜日情報に対応する基準データを、評価対象となる生体情報に対応付けられた月情報に基づいて補正し、補正後の基準データを評価用基準データとして設定する。
【０１６８】
生体情報として血圧情報を例にすると、冬の血圧情報は夏の血圧情報よりも高くなる傾向がある。基準データ制御部１１０Ｃによって生成されて第一の記憶部１３に記憶される曜日毎の基準データは、このような季節変動を考慮したものとはなっていない。
【０１６９】
このため、例えば、生体情報測定装置１Ｂによって８月の任意の火曜日に血圧情報の測定を行う場合に、火曜日に対応する基準データに基づいて生体情報の評価を行っても、この基準データが１２月の任意の火曜日に測定された生体情報に基づいて生成されたものであると、正確な評価が行われない可能性がある。
【０１７０】
そこで、基準データ制御部１１０Ｃは、生体情報の測定時の月情報と、評価用基準データの生成に用いられた生体情報の測定月の情報との関係に基づいて、評価用基準データを該測定時の月に合ったデータに補正する。
【０１７１】
図２０は、図１８に示すシステム制御部１１の基準データ制御部１１０Ｃによる基準データの補正処理の一例を示す図である。
【０１７２】
図２０の例では、８月の日曜日に生体情報が測定される場合に、１２月の日曜日に測定された生体情報に基づいて生成された基準データの各基準値が一律に減少されて、基準データが補正される例を示している。
【０１７３】
このような補正を実現するために、基準データの生成に利用した測定データに含まれる月情報と、評価対象となる生体情報に対応付けられた月情報との組み合わせに対し、基準データの各基準値をどの程度増加又は減少させるべきかの補正値を記憶したテーブルが第一の記憶部１３に予め記憶される。
【０１７４】
そして、基準データ制御部１１０Ｃは、このテーブルに基づいて、評価対象となる生体情報に対応付けられた月情報と、基準データの生成に用いられた測定データに含まれる月情報との組み合わせに対応する補正値を読み出し、読み出した補正値にしたがって該基準データを補正する。これにより、季節の違いによる生体情報の変動を考慮した生体情報の評価が可能となる。
【０１７５】
図２１は、図１８に示す生体情報測定装置１Ｂの動作を説明するためのフローチャートである。図２１に示すフローチャートは、ステップＳ１がステップＳ１Ａに変更された点を除いては図１０に示すフローチャートと同じである。このため、図１０と同じ処理には同一符号を付して説明を省略する。なお、ここでは前提として、生体情報測定装置１Ｂの第一の記憶部１３に、月曜日〜日曜日までの各曜日に対応する基準データが記憶済みであるものとする。
【０１７６】
生体情報の測定開始指示があると、基準データ制御部１１０Ｃは、現在の曜日情報に対応する基準データとこれに対応付けられた月情報を第一の記憶部１３から読み出す。
【０１７７】
次に、基準データ制御部１１０Ｃは、第一の記憶部１３に記憶されているテーブルを参照し、現時点の月情報と、上記の読み出した月情報との組み合わせに対応する補正値を読み出す。そして、基準データ制御部１１０Ｃは、上記の読み出した基準データを、上記の読み出した補正値に基づいて補正し、補正後の基準データを評価用基準データとして設定する（ステップＳ１Ａ）。ステップＳ１Ａの処理の後は、ステップＳ２以降の処理が行われる。
【０１７８】
以上のように、生体情報測定装置１Ｂによれば、装置単体で基準データの生成を行うことができる。このため、システム構築に要する費用をなくして低コスト化を実現することができる。また、生体情報測定装置１Ｂによれば、生体情報測定装置１Ｂの利用者本人の生体情報に基づいて生成された基準データをもとに生体情報の評価が行われるため、健康状態をより正確に評価することが可能となる。
【０１７９】
なお、生体情報測定装置１Ｂの基準データ制御部１１０Ｃの機能は次のように変更してもよい。
【０１８０】
すなわち、基準データ制御部１１０Ｃは、生体情報測定部１１Ａにより測定されて第一の記憶部１３に記憶された測定データが１日分蓄積されると、この月情報及び曜日情報が同じ１日分の測定データに基づいて１つの基準データを生成し、生成した基準データと、この基準データの生成に用いた生体情報に対応付けられている月情報及び曜日情報とを対応付けて第一の記憶部１３に記憶する。
【０１８１】
そして、基準データ制御部１１０Ｃは、生体情報の評価が行われる時には、第一の記憶部１３に記憶された基準データを、評価対象となる生体情報に対応付けられている月情報及び曜日情報に基づいて補正し、補正後の基準データを評価用基準データとして設定する。
【０１８２】
この場合は、基準データに対応付けられている月情報及び曜日情報と、評価対象となる生体情報に対応付けられた月情報及び曜日情報との組み合わせに対し、基準データの各基準値をどの程度増加又は減少させるべきかの補正値を記憶したテーブルが第一の記憶部１３に予め記憶される。
【０１８３】
そして、基準データ制御部１１０Ｃは、このテーブルに基づいて、評価対象となる生体情報に対応付けられた月情報及び曜日情報と、基準データに対応する月情報及び曜日情報との組み合わせに応じた補正値を読み出し、読み出した補正値にしたがって該基準データを補正する。これにより、季節の違いと曜日の違いによる生体情報の変動を考慮した生体情報の評価が可能となる。
【０１８４】
この構成によれば、生体情報の測定が１日行われるだけで生体情報の正確な評価が可能となる。このため、生体情報の評価を急いで行いたい場合に有効である。
【０１８５】
図２２は、本発明の一実施形態を説明するための生体情報評価支援システム１００Ｂの概略構成を示す図である。生体情報評価支援システム１００Ｂは、生体情報測定装置１Ｃと、病院端末４Ａと、を備える。
【０１８６】
生体情報測定装置１Ｃの内部ハードウェア構成は、図２と同じである。また、生体情報測定装置１Ｃのシステム制御部１１の機能ブロック図は、図３においてデータ送信制御部１１Ｂ、基準データ制御部１１Ｃ、生体情報評価部１１Ｄを削除した構成である。
【０１８７】
病院端末４Ａのハードウェア構成は図１２と同じである。
【０１８８】
図２３は、図２２に示す病院端末４Ａのシステム制御部４１の機能ブロック図である。
【０１８９】
病院端末４Ａのシステム制御部４１は、基準データ制御部４１Ｃが基準データ制御部４１０Ｃに変更された点を除いては、図１３と同じ構成である。このため、図１３と同じ構成には同一符号を付して説明を省略する。
【０１９０】
基準データ制御部４１０Ｃは、ＲＯＭに記憶されるプログラムをプロセッサが実行することによって構成される。このプログラムは、生体情報評価プログラムを含む。病院端末４Ａのシステム制御部４１は生体情報評価装置を構成する。
【０１９１】
基準データ制御部４１０Ｃは、生体情報測定装置１Ｃから読み出されて病院端末４Ａの第三の記憶部４３に記憶された７日分の測定データに基づいて、曜日毎の基準データを生成し、生成した基準データを第三の記憶部４３に記憶する。基準データの生成方法は上述したのと同じである。
【０１９２】
基準データ制御部４１０Ｃは、第三の記憶部４３に記憶された基準データを、評価対象となる生体情報の月情報に基づいて補正し、補正後の基準データを評価用基準データとして設定する。補正方法は前述したのと同じである。
【０１９３】
図２４は、図２２に示す生体情報評価支援システム１００Ｂの病院端末４Ａの動作を説明するためのフローチャートである。図２４に示すフローチャートは、ステップＳ１１がステップＳ１１Ａに変更され、ステップＳ３０が追加され、ステップＳ１２がステップＳ１２Ａに変更され、ステップＳ１３がステップＳ１３Ａに変更された点を除いては、図１４に示すフローチャートと同じである。
【０１９４】
このため、図１４と同じ処理には同一符号を付して説明を省略する。なお、ここでは前提として、生体情報測定装置１Ｃの第一の記憶部１３に、少なくとも月曜日〜日曜日の各曜日について１日分の測定データが記憶済みであるものとする。
【０１９５】
まず、被測定者によって生体情報測定装置１Ｃが病院に持ち込まれ、病院に設置された病院端末４Ａと接続される。この状態で、病院端末４Ａのシステム制御部４１は、生体情報測定装置１Ｃの第一の記憶部１３に記憶されている測定データを読み込み、読み込んだ測定データを第三の記憶部４３に記憶する（ステップＳ１１Ａ）。
【０１９６】
次に、病院端末４Ａの基準データ制御部４１０Ｃは、第三の記憶部４３に記憶された各曜日の測定データに基づいて、各曜日に対応する基準データを生成し、第三の記憶部４３に記憶する（ステップＳ３０）。
【０１９７】
具体的には、病院端末４Ａの基準データ制御部４１０Ｃは、第三の記憶部４３に記憶した測定データのうち、月情報が同一でかつ月曜日の曜日情報を含む測定データを選択する。病院端末４Ａの基準データ制御部４１０Ｃは、選択した測定データに基づいて、月曜日に対応する基準データを生成し、選択した測定データに含まれる月情報と、生成した基準データを対応付けて第三の記憶部４３に記憶する。
【０１９８】
病院端末４Ａの基準データ制御部４１０Ｃは、選択する測定データを、月情報が同一でかつ火曜日の曜日情報を含む測定データ、月情報が同一でかつ水曜日の曜日情報を含む測定データ、・・・といった具合に曜日情報を順次変更していきながら同様の処理を行って、各曜日に対応する基準データを生成する。
【０１９９】
次に、病院端末４Ａの基準データ制御部４１０Ｃは、第三の記憶部４３に記憶された測定データのうち、任意の月情報と任意の曜日情報を含む測定データを選択する（ステップＳ１２Ａ）。
【０２００】
次に、病院端末４Ａの基準データ制御部４１０Ｃは、選択した測定データに含まれる曜日情報に対応する基準データと、この基準データに対応する月情報を第三の記憶部４３から読み出す。
【０２０１】
そして、病院端末４Ａの基準データ制御部４１０Ｃは、選択した測定データに含まれる月情報と、読み出した基準データに対応する月情報との組み合わせに応じた補正値を第三の記憶部４３のテーブルから読み出し、読み出した補正値に基づいて、上記の読み出した基準データを補正し、補正後の基準データを評価用基準データとして設定する（ステップＳ１３Ａ）。
【０２０２】
ステップＳ１３Ａの後はステップＳ１４以降の処理が行われる。なお、ステップＳ３０の処理は、生体情報測定装置１Ｃと病院端末４Ａとが２回目以降に接続されたときには省略してもよい。
【０２０３】
以上のように、生体情報評価支援システム１００Ｂによれば、任意の人の測定データのみで基準データの生成が可能となる。このため、複数人の測定データを収集するためのシステム構築等が不要となり、システムコストを削減することができる。また、病院端末４Ａで基準データの生成を行うことができるため、生体情報測定装置１Ｃの機能を簡略化することができ、生体情報測定装置１Ｃのコスト削減及び消費電力低減が可能となる。
【０２０４】
なお、病院端末４Ａの基準データ制御部４１０Ｃの機能は次のように変更してもよい。
【０２０５】
すなわち、基準データ制御部４１０Ｃは、生体情報測定装置１Ｃから読み込んだ月情報及び曜日情報が同じ１日分の測定データに基づいて１つの基準データを生成し、生成した基準データと、この基準データの生成に用いた測定データに含まれる月情報及び曜日情報とを対応付けて第三の記憶部４３に記憶する。
【０２０６】
そして、基準データ制御部４１０Ｃは、生体情報の評価が行われる時には、第三の記憶部４３に記憶された基準データを、評価対象となる生体情報に対応付けられている月情報及び曜日情報に基づいて補正し、補正後の基準データを評価用基準データとして設定する。
【０２０７】
この場合は、基準データに対応付けられた月情報及び曜日情報と、評価対象となる生体情報に対応付けられた月情報及び曜日情報との組み合わせに対し、基準データの各基準値をどの程度増加又は減少させるべきかの補正値を記憶したテーブルが第三の記憶部４３に予め記憶される。
【０２０８】
そして、基準データ制御部４１０Ｃは、このテーブルに基づいて、評価対象となる生体情報に対応付けられた月情報及び曜日情報と、基準データに対応付けられた月情報及び曜日情報との組み合わせに対応する補正値を読み出し、読み出した補正値にしたがって該基準データを補正する。これにより、季節の違いと曜日の違いによる生体情報の変動を考慮した生体情報の評価が可能となる。
【０２０９】
この構成によれば、生体情報の測定が１日行われるだけで生体情報の正確な評価が可能となる。このため、生体情報の評価を急いで行いたい場合に有効である。
【０２１０】
図１８に示す生体情報測定装置１Ｂは、月情報及び曜日情報の組み合わせ毎に基準データを生成して第一の記憶部１３に記憶するものとした。この変形例として、気温情報と曜日情報の組み合わせ毎に基準データを生成して第一の記憶部１３に記憶してもよい。以下、この変形例について説明する。
【０２１１】
この変形例では、生体情報測定装置１Ｂが、生体情報を測定しているときの装置の周囲の温度（気温）を検出する温度センサを有する。また、生体情報測定装置１Ｂの生体情報測定部１１Ａは、測定した生体情報と、この生体情報の測定時刻情報と、この生体情報の測定時の日付情報及び曜日情報と、この生体情報の測定時の気温情報（ここでは気温そのものの情報）と、を対応付けて、第一の記憶部１３に記憶する。
【０２１２】
この変形例の生体情報測定装置１Ｂの基準データ制御部１１０Ｃは、生体情報測定部１１Ａにより測定されて第一の記憶部１３に記憶された測定データが７日分蓄積されると、この７日分の測定データに基づいて曜日毎の基準データを生成し、生成した基準データと、この基準データの生成に用いた生体情報の測定時の気温情報の平均値とを対応付けて第一の記憶部１３に記憶する。
【０２１３】
具体的には、基準データ制御部１１０Ｃは、月曜日に測定された１日分の測定データに含まれる生体情報を“時”の情報でグループ分けして得られた各期間グループに属する生体情報の代表値を、この期間グループに対する基準値として生成する。このような処理により、月曜日に対応した基準データが生成される。基準データ制御部１１０Ｃは、月曜日に対応する基準データと、この基準データの生成に用いた測定データに含まれる気温情報の平均値とを対応付けて第一の記憶部１３に記憶する。
【０２１４】
基準データ制御部１１０Ｃは、同様の処理を他の曜日で測定された測定データに対しても行うことで、月曜日〜日曜日の各々に対応する基準データを生成し記憶する。
【０２１５】
基準データ制御部１１０Ｃは、生体情報の評価が行われる時には、第一の記憶部１３に記憶された基準データのうち、評価対象となる生体情報に対応付けられた曜日情報に対応する基準データを、評価対象となる生体情報に対応付けられた気温情報に基づいて補正し、補正後の基準データを評価用基準データとして設定する。
【０２１６】
生体情報として血圧情報を例にすると、血圧情報は気温が低い方が高くなる傾向がある。基準データ制御部１１０Ｃによって生成されて第一の記憶部１３に記憶される曜日毎の基準データは、このような気温変動を考慮したものとはなっていない。
【０２１７】
そこで、基準データ制御部１１０Ｃは、生体情報の測定時の気温情報と、評価用基準データに対応付けられた気温情報の平均値との関係に基づいて、評価用基準データを該測定時の気温に適したデータに補正する。
【０２１８】
このような補正を実現するために、基準データに対応付けられた気温情報の平均値と、任意の気温情報との組み合わせに対し、基準データの各基準値をどの程度増加又は減少させるべきかの補正値を記憶したテーブルが第一の記憶部１３に予め記憶される。
【０２１９】
そして、基準データ制御部１１０Ｃは、このテーブルに基づいて、評価対象となる生体情報に対応付けられた気温情報と、基準データに対応付けられた気温情報の平均値との組み合わせに対応する補正値を読み出し、読み出した補正値にしたがって該基準データを補正する。これにより、気温の違いによる生体情報の変動を考慮した生体情報の評価が可能となる。
【０２２０】
なお、この変形例の生体情報測定装置１Ｂにおいても、基準データ制御部１１０Ｃの機能を次のように変更してもよい。
【０２２１】
すなわち、基準データ制御部１１０Ｃは、生体情報測定部１１Ａにより測定されて第一の記憶部１３に記憶された測定データが１日分蓄積されると、この曜日情報が同じ１日分の測定データに基づいて１つの基準データを生成する。そして、基準データ制御部１１０Ｃは、生成した基準データと、この基準データの生成に用いた生体情報の測定時の気温情報の平均値と、この基準データの生成に用いられた測定データに含まれる曜日情報と、を対応付けて第一の記憶部１３に記憶する。
【０２２２】
そして、基準データ制御部１１０Ｃは、生体情報の評価が行われる時には、第一の記憶部１３に記憶された基準データを、評価対象となる生体情報に対応付けられている気温情報及び曜日情報に基づいて補正し、補正後の基準データを評価用基準データとして設定する。
【０２２３】
この場合は、基準データに対応づけられた曜日情報及び気温情報の平均値と、任意の気温情報及び曜日情報との組み合わせに対し、基準データの各基準値をどの程度増加又は減少させるべきかの補正値を記憶したテーブルが第一の記憶部１３に予め記憶される。
【０２２４】
そして、基準データ制御部１１０Ｃは、このテーブルに基づいて、評価対象となる生体情報に対応付けられた気温情報及び曜日情報と、基準データに対応する気温情報の平均値及び曜日情報との組み合わせに応じた補正値を読み出し、読み出した補正値にしたがって該基準データを補正する。これにより、気温の違いと曜日の違いによる生体情報の変動を考慮した生体情報の評価が可能となる。
【０２２５】
この変形例の生体情報測定装置１Ｂの基準データ制御部１１０Ｃ及び生体情報評価部１１Ｄの機能は、図２２及び図２３で説明したのと同様に、病院端末が有する構成としてもよい。
【０２２６】
上述してきた各種プログラムは、当該プログラムをコンピュータが読取可能な一時的でない（ｎｏｎ−ｔｒａｎｓｉｔｏｒｙ）記憶媒体に記憶される。
【０２２７】
このような「コンピュータ読取可能な記憶媒体」は、たとえば、ＲＯＭ、ＣＤ−ＲＯＭ（Ｃｏｍｐａｃｔ  Ｄｉｓｃ−ＲＯＭ）等の光学媒体、又は、メモリカード等の磁気記憶媒体等を含む。また、このようなプログラムを、ネットワークを介したダウンロードによって提供することもできる。
【０２２８】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【０２２９】
以上説明してきたように、本明細書には以下の事項が開示されている。
【０２３０】
開示された生体情報評価装置は、被測定者から測定されて第一の記憶部に記憶された生体情報を評価する生体情報評価装置であって、複数に分割された１日の分割期間毎の生体情報の基準値を示す基準データに基づいて、前記第一の記憶部に記憶された生体情報を評価する生体情報評価部と、少なくとも、前記第一の記憶部に記憶された生体情報の測定時の暦情報に基づいて、前記生体情報評価部が当該生体情報の評価に用いる前記基準データを制御する基準データ制御部と、を備えるものである。
【０２３１】
開示された生体情報評価装置は、前記基準データ制御部は、前記第一の記憶部に記憶された生体情報の測定時の暦情報と、前記被測定者の属性情報と、前記生体情報の測定時の気温情報と、に基づいて前記基準データを制御するものである。
【０２３２】
開示された生体情報評価装置は、前記基準データ制御部は、暦情報と人の属性情報と気温情報の組み合わせ毎に前記基準データを記憶する第二の記憶部から、前記第一の記憶部に記憶された生体情報の測定時の暦情報及び気温情報と前記被測定者の属性情報との組み合わせに対応する基準データを取得し、取得した基準データを、前記生体情報評価部が当該生体情報の評価に利用する基準データとして設定するものである。
【０２３３】
開示された生体情報評価装置は、前記第二の記憶部に記憶される基準データは、複数人分の生体情報に基づいて生成されたものであり、前記複数人分の生体情報は、当該生体情報が測定された人の属性情報、当該生体情報の測定時の暦情報、及び、当該生体情報の測定時の気温情報が全て同じものである。
【０２３４】
開示された生体情報評価装置は、前記基準データ制御部は、前記第一の記憶部に記憶された生体情報の測定時の暦情報と、前記被測定者の属性情報とに基づいて前記基準データを制御するものである。
【０２３５】
開示された生体情報評価装置は、前記基準データ制御部は、暦情報と人の属性情報の組み合わせ毎に前記基準データを記憶する第二の記憶部から、前記第一の記憶部に記憶された生体情報の測定時の暦情報と前記被測定者の属性情報との組み合わせに対応する基準データを取得し、取得した基準データを、前記生体情報評価部が当該生体情報の評価に利用する基準データとして設定するものである。
【０２３６】
開示された生体情報評価装置は、前記第二の記憶部に記憶される基準データは、複数人分の生体情報に基づいて生成されたものであり、前記複数人分の生体情報は、当該生体情報が測定された人の属性情報及び当該生体情報の測定時の暦情報が全て同じものである。
【０２３７】
開示された生体情報評価装置は、前記基準データ制御部は、前記被測定者から生体情報を測定する生体情報測定部により測定されて前記第一の記憶部に記憶された少なくとも１日分の生体情報に基づいて前記基準データを生成し、前記第一の記憶部に記憶された生体情報の測定時の月情報及び曜日情報に基づいて当該基準データを補正し、補正後の基準データを前記生体情報評価部が当該生体情報の評価に利用する基準データとして設定するものである。
【０２３８】
開示された生体情報評価装置は、前記基準データ制御部は、前記生体情報測定部により測定されて前記第一の記憶部に記憶された７日分の生体情報に基づいて曜日毎に前記基準データを生成し、前記第一の記憶部に記憶された生体情報の測定時の曜日情報に対応する前記基準データを、当該生体情報の測定時の月情報に基づいて補正し、補正後の基準データを前記生体情報評価部が当該生体情報の評価に利用する基準データとして設定するものである。
【０２３９】
開示された生体情報評価装置は、前記基準データ制御部は、前記被測定者から生体情報を測定する生体情報測定部により測定されて前記第一の記憶部に記憶された少なくとも１日分の生体情報に基づいて前記基準データを生成し、前記第一の記憶部に記憶された生体情報の測定時の気温情報及び曜日情報に基づいて当該基準データを補正し、補正後の基準データを前記生体情報評価部が当該生体情報の評価に利用する基準データとして設定するものである。
【０２４０】
開示された生体情報評価装置は、前記基準データ制御部は、前記生体情報測定部により測定されて前記第一の記憶部に記憶された７日分の生体情報に基づいて曜日毎に前記基準データを生成し、前記第一の記憶部に記憶された生体情報の測定時の曜日情報に対応する前記基準データを、当該生体情報の測定時の気温情報に基づいて補正し、補正後の基準データを前記生体情報評価部が当該生体情報の評価に利用する基準データとして設定するものである。
【０２４１】
開示された生体情報測定装置は、前記生体情報評価装置と、前記被測定者から生体情報を測定して前記第一の記憶部に記憶する生体情報測定部と、を備えるものである。
【０２４２】
開示された生体情報測定方法は、被測定者から測定されて第一の記憶部に記憶された生体情報を評価する生体情報評価方法であって、複数に分割された１日の分割期間毎の生体情報の基準値を示す基準データに基づいて、前記第一の記憶部に記憶された生体情報を評価する生体情報評価ステップと、少なくとも、前記第一の記憶部に記憶された生体情報の測定時の暦情報に基づいて、前記生体情報評価ステップにおいて当該生体情報の評価に用いる前記基準データを制御する基準データ制御ステップと、を備えるものである。
【０２４３】
開示された生体情報測定プログラムは、被測定者から測定されて第一の記憶部に記憶された生体情報を評価する生体情報評価プログラムであって、複数に分割された１日の分割期間毎の生体情報の基準値を示す基準データに基づいて、前記第一の記憶部に記憶された生体情報を評価する生体情報評価ステップと、少なくとも、前記第一の記憶部に記憶された生体情報の測定時の暦情報に基づいて、前記生体情報評価ステップにおいて当該生体情報の評価に用いる前記基準データを制御する基準データ制御ステップと、をコンピュータに実行させるためのものである。
【産業上の利用可能性】
【０２４４】
本発明は、特に血圧計等に適用して利便性が高く、有効である。
【符号の説明】
【０２４５】
１００，１００Ａ，１００Ｂ  生体情報評価支援システム
１，１Ａ，１Ｂ，１Ｃ  生体情報測定装置
２  生体情報管理装置
３  ネットワーク
４，４Ａ  病院端末
１０  脈波検出部
１１，２１，４１  システム制御部
１１Ａ  生体情報測定部
１１Ｂ  データ送信制御部
１１Ｃ，４１Ｃ，１１０Ｃ，４１０Ｃ  基準データ制御部
１１Ｄ，４１Ｄ  生体情報評価部
１２，２２，４２  通信インタフェース
１３  第一の記憶部
１４，４４  操作部
１５，４５  表示部
２１Ａ  基準データ生成部
２１Ｂ  測定データ記憶制御部
２３  第二の記憶部
４３  第三の記憶部
【図１】
0006676395.tif 000002
【図２】
0006676395.tif 000003
【図３】
0006676395.tif 000004
【図４】
0006676395.tif 000005
【図５】
0006676395.tif 000006
【図６】
0006676395.tif 000007
【図７】
0006676395.tif 000008
【図８】
0006676395.tif 000009
【図９】
0006676395.tif 000010
【図１０】
0006676395.tif 000011
【図１１】
0006676395.tif 000012
【図１２】
0006676395.tif 000013
【図１３】
0006676395.tif 000014
【図１４】
0006676395.tif 000015
【図１５】
0006676395.tif 000016
【図１６】
0006676395.tif 000017
【図１７】
0006676395.tif 000018
【図１８】
0006676395.tif 000019
【図１９】
0006676395.tif 000020
【図２０】
0006676395.tif 000021
【図２１】
0006676395.tif 000022
【図２２】
0006676395.tif 000023
【図２３】
0006676395.tif 000024
【図２４】
0006676395.tif 000025